(57)【要約】【課題】運搬性に優れ、がたつきの無い把手を有する洗濯機を提供すること。【解決手段】洗濯水を貯水する水槽を内包する外箱１と、外箱１の側面に設けた運搬用の把手部とを備え、把手部は、外箱１の側面に形成した嵌合穴４と、嵌合穴４に嵌合する持ち手部材９とを有し、持ち手部材９は、持ち手部材９の一側面に設けた溝部と、溝部と反対側の側面に設け持ち手部材の外方へ突出した爪部と、爪部に設けた薄肉部とを有し、溝部と薄肉部とが嵌合穴４の端部と勘合するようにしたことにより、組立性に優れ、組立後は強固でがたつきのない保持ができる把手が実現できるので、運搬性に優れるとともに、脱水時の異音発生を防止させることができる。【選択図】図２
2014180477.tif 000002
【特許請求の範囲】
【請求項１】
洗濯水を貯水する水槽を内包する外箱と、前記外箱の側面に設けた運搬用の把手部とを備え、前記把手部は、前記外箱の側面に形成した嵌合穴と、前記嵌合穴に嵌合する持ち手部材とを有し、前記持ち手部材は、前記持ち手部材の一側面に設けた溝部と、前記溝部と反対側の側面に設け前記持ち手部材の外方へ突出した爪部と、前記爪部に設けた薄肉部とを有し、前記溝部と前記薄肉部とが前記嵌合穴の端部と勘合するようにしたことを特徴とする洗濯機。
【発明の詳細な説明】
【技術分野】
【０００１】
本発明は、外箱側面に運搬用の持ち手部材を有する洗濯機に関するものである。
【背景技術】
【０００２】
従来、この種の洗濯機は、運搬用の把手部として、上部に外箱の嵌合穴上端と嵌合する溝部を有するリブを上面に設け、下面には湾曲部を有する爪部を有し、組付け時には外箱の嵌合穴の上端に、溝部を当て、この溝部を起点に、持ち手材を内側に押し込むことで、外箱の嵌合穴の下端面を爪部の湾曲部が湾曲しながら滑って外箱に嵌る構成が提案されている。また、下記に示す図の構成以外に、例えば、特許文献１や特許文献２のような構成も提案されている。
【０００３】
図５は、従来の洗濯機の把手部の要部断面図、図６は、同洗濯機の把手部の持ち手部材の外観図である。
【０００４】
図５、図６において、洗濯機の外箱１の両側面に設けた嵌合穴４には、運搬時に使用する合成樹脂製の持ち手部材５が嵌合されている。
【０００５】
持ち手部材５の上面には、溝部６を有するリブ７が設けられ、下面には片側が開放した湾曲舌片８ａを有する爪部８を有している。
【０００６】
この持ち手部材５を外箱１の嵌合穴４に嵌合して組立てするには、まずリブ７の溝部６を嵌合穴４の上端面４ａに当接させ、溝部６を起点に、持ち手部材５を矢印ａ方向（内側）に押し込むことで、嵌合穴４の下端面４ｂと当接する湾曲舌片８ａを押し下げながら滑らせて、下部の爪部８を嵌めるという構成となっていた。
【先行技術文献】
【特許文献】
【０００７】
【特許文献１】実開昭５６−１３６６９１号公報
【特許文献２】特開２００８−９９８０２号公報
【発明の概要】
【発明が解決しようとする課題】
【０００８】
しかしながら、前記従来の構成では、持ち手部材を外箱に取付け時に、持ち手部材の下面にある片側が開放し、安定性に劣るため、湾曲舌片に過大な負荷が作用すると変形したり、また、成形時においても変形や部品運搬時の取扱による変形により、湾曲舌片が図３の８ｂのようになってしまい、その結果、外箱の嵌合穴との間で微小な隙間が発生し、脱水時の振動により、外箱と持ち手部材が振動し、耳障りな微小異音が発生したり、湾曲舌片部の寸法ばらつきにより持ち手部材の保持力低下が発生したりするという課題があった。
【０００９】
本発明は、前記従来の課題を解決するもので、組立性に優れ、組立後は強固でがたつきのない保持ができる把手部を実現することで、運搬性に優れ、脱水時の異音発生を防止する洗濯機を提供することを目的としている。
【課題を解決するための手段】
【００１０】
前記従来の課題を解決するために、本発明の洗濯機は、洗濯水を貯水する水槽を内包する外箱と、前記外箱の側面に設けた運搬用の把手部とを備え、前記把手部は、前記外箱の
側面に形成した嵌合穴と、前記嵌合穴に嵌合する持ち手部材とを有し、前記持ち手部材は、前記持ち手部材の一側面に設けた溝部と、前記溝部と反対側の側面に設け前記持ち手部材の外方へ突出した爪部と、前記爪部に設けた薄肉部とを有し、前記溝部と前記薄肉部とが前記嵌合穴の端部と勘合するようにしたものである。
【００１１】
これによって、組立性に優れ、組立後は強固でがたつきのない保持ができる把手部が実現できるので、運搬性に優れるとともに、脱水時の異音発生を防止することができる。
【発明の効果】
【００１２】
本発明の洗濯機は、がたつきのない、保持力に優れ、さらに組立性にも優れた把手部が実現でき、運搬性に優れ、脱水時の異音の発生を防止することができる。
【図面の簡単な説明】
【００１３】
【図１】本発明の実施の形態における洗濯機の外観図
【図２】同洗濯機の持ち手部材を取り付けた把手部の要部断面図
【図３】同洗濯機の把手部のＡ矢視図
【図４】同洗濯機の把手部の持ち手部材の外観図
【図５】従来の洗濯機の持ち手部材を取り付けた要部断面図
【図６】同洗濯機の持ち手部材の外観図
【発明を実施するための形態】
【００１４】
第１の発明は、洗濯水を貯水する水槽を内包する外箱と、前記外箱の側面に設けた運搬用の把手部とを備え、前記把手部は、前記外箱の側面に形成した嵌合穴と、前記嵌合穴に嵌合する持ち手部材とを有し、前記持ち手部材は、前記持ち手部材の一側面に設けた溝部と、前記溝部と反対側の側面に設け前記持ち手部材の外方へ突出した爪部と、前記爪部に設けた薄肉部とを有し、前記溝部と前記薄肉部とが前記嵌合穴の端部と勘合するようにしたことにより、組立性に優れ、組立後は強固でがたつきのない保持ができる把手部が実現できるので、運搬性に優れるとともに、脱水時の異音を低減させることができる。
【００１５】
以下、発明の実施の形態について、図面を参照しながら説明する。なお、従来例と同じ構成のものは同一符号を付して説明を省略する。また、この実施の形態によって本発明が限定されるものではない。
【００１６】
（実施の形態１）
図１は、本発明の実施の形態における洗濯機の外観図、図２は、同洗濯機の持ち手部材を取り付けた把手部の要部断面図、図３は、同洗濯機の図２のＡ矢視図、図４は、同洗濯機の持ち手部材の外観図である。
【００１７】
図１において、外箱１の上部には操作部を含め電装部品を収納したトップカバー２が載置され、下部には洗濯機本体を支持する台枠３が設置されている。
【００１８】
また、外箱１の両側面には略矩形状の嵌合穴４（図２参照）が形成され、その嵌合穴４に運搬用の持ち手部材９が嵌合することにより固定している。把手部は、外箱１の側面に形成した嵌合穴４と、嵌合穴４に嵌合する持ち手部材９とを有する構成として例示される。
【００１９】
そして、図示していないが、外箱１内には、外箱１より防振装置にて防振支持された洗濯水を貯水する水槽や、洗濯物を収容し水槽に回転自在に内包された洗濯兼脱水槽、また、洗濯兼脱水槽の内底部に設けられたパルセータ、および、洗濯兼脱水槽とパルセータを回転駆動するモータなどの構成部品が配置されている。
【００２０】
図２、図３、図４において、持ち手部材９は、内方側に向けて形成した凹部１５が洗濯機運搬時に手指を挿入する穴部を有している。そして、この持ち手部材９は、上部に外箱１の嵌合穴４の上端と嵌合する上溝部１０を有するリブ１１を設けている。また、持ち手部材９の下部には、嵌合穴４の下端面に嵌合する下溝部１２と、先端から後方へはなだらかな傾斜面１３ａを形成した断面略三角形状の下部爪部１３を複数個設けるとともに、この下部爪部１３の外周部には下溝部１２と略同一面をなす薄肉に形成した外周部１４を設けている。下溝部１２は、下部爪部１３に薄肉に設けられる。持ち手部材９の一側面に設けた溝部は、上溝部１０として例示され、溝部と反対側の側面に設け持ち手部材９の外方へ突出した爪部は、下部爪部１３として例示される。また、爪部に設けた薄肉部は、下溝部１２として例示される。このように、上溝部１０と下溝部１２とが嵌合穴４の端部と勘合する。
【００２１】
以上のように構成された洗濯機において、以下その動作、作用を説明する。
【００２２】
持ち手部材９を外箱１に組み付ける時には、まず嵌合穴４の上端に上溝部１０を嵌合して当て、上溝部１０を起点に、持ち手部材を矢印ｂ方向（内側）に押し込むことで、嵌合穴４の下端面と当接する下部爪部１３の傾斜部１３ａを押し下げながら嵌めることができる。その際、下部爪部１３の外周部１４の厚みが薄くなっていることにより、より軽い押し込み力により装着できるため、余分な負荷が下部爪部１３にかからず、下部爪部１３自体の変形も発生しない。
【００２３】
さらに、傾斜面を有する略三角形状の下部爪部１３の形状と、その下部爪部１３の外周部１４の薄肉部との組合せであるため、成形の金型構成が簡単となり、成形時のひずみ等の不具合が少なく、寸法が安定し、外箱１に組み付けてもがたつきのない、保持力に優れ、さらに組立性にも優れた嵌合が実現でき、脱水時の耳障りな微小音を含む異音の発生を防止することができる。
【００２４】
以上のように、本実施の形態においては、持ち手部材９は、上部に外箱１の両側面の嵌合穴４の上端部と嵌合する上溝部１０を、下部に嵌合穴４の下端部と嵌合する下溝部１２を有するので、組立後は強固でがたつきのない保持ができる把手部が実現できるので、運搬性に優れるとともに、脱水時の異音を低減させることができる。
【産業上の利用可能性】
【００２５】
以上のように、本発明にかかる洗濯機は、運搬用の把手部について、組立性に優れた嵌合が実現でき、脱水時の異音の発生を防止することができるため、他の洗濯機を含めた機器の用途に適用できる。
【符号の説明】
【００２６】
１  外箱
４  嵌合穴
９  持ち手部材
１０  上溝部（溝部）
１２  下溝部（薄肉部）
１３  下部爪部（爪部）
【図１】
2014180477.tif 000003
【図２】
2014180477.tif 000004
【図３】
2014180477.tif 000005
【図４】
2014180477.tif 000006
【図５】
2014180477.tif 000007
【図６】
2014180477.tif 000008